(57)【要約】      （修正有）【課題】子どもの成長に応じた構成に作りかえるなどデザインの自由度を高め、遊具内の子どもの動きを測定し、子どもの成長の目安となるデータを収集することが可能な遊具を提供する。【解決手段】平均台やジャングルジムやバンクなどの複合遊具に使用される高さが９０センチ以上、幅が９０センチ以上の可動壁である。この可動壁は、人の動きを検知する検知手段２０、３０と、遊具を取り付け自在な取付手段と、複合遊具内で可動可能な可動手段とを備える。【選択図】図１
2017023566.tif 000002
【特許請求の範囲】
【請求項１】
複合遊具に使用される高さが９０センチ以上、幅が９０センチ以上の可動壁であって、
人の動きを検知する検知手段と、
遊具を取り付け自在な取付手段と、
複合遊具内で可動可能な可動手段とを備える可動壁。
【請求項２】
請求項１に記載の可動壁であって、
前記検知手段が複数設けられている可動壁。
【請求項３】
請求項１又は２に記載の可動壁を可動自在に設けている複合遊具で、
各可動壁は、４０センチメートル以上の間隔で設けられている複合遊具。
【発明の詳細な説明】
【技術分野】
【０００１】
本発明は、可動壁及び可動壁を有する複合遊具に関する。
【背景技術】
【０００２】
従来、公園や広場には滑り台やブランコや登り棒などの遊具が置かれていた。また、室内ではトランポリン、ボールプール、ネットやはしごなど複数の遊具を組み合わせた複合遊具が置かれていた。
【０００３】
また、近年では、大型トラックのタイヤのような断面輪状の菅状体で透明の遊具もあり、子どもの運動能力向上のために使用されている（特許文献１）。
【先行技術文献】
【特許文献】
【０００４】
【特許文献１】特開２００３−２５４６９
【発明の概要】
【発明が解決しようとする課題】
【０００５】
しかし、滑り台などの従来の遊具は一度設置すると変更するためには、かなりの費用が掛かってしまう。また、公共施設などの内部に遊具を設置してしまった場合、その空間は遊具に占領されてしまい用途が限られてしまう。
【０００６】
さらに、従来の公園や広場などの遊具では小さな子どもが目を離したすきに、事故が発生したり、小学生になると子ども達だけで遊んでいるときに事故が発生したりしている。近年では、都内だけでも子どもの遊具による事故件数は年６００件前後発生している。
【０００７】
このため、事故を防止するため親の監視や、指導員の監視が必要になっていた。また、従来の遊具では子どもの衝突を防ぐために大きさに制限があるとともに、子どもの動きがわかるようにする必要があり、遊具のデザインに制限があった。
【０００８】
また、年齢によって遊具による事故の原因や事故の種類が異なることが多い。例えば、１０歳ぐらいの男子が中等以上の事故が多い。子どもの遊具の使い方が年齢によってどのように変化するかを調べることは事故の防止や、商品開発において重要であるが、現状では人による調査を行う必要があり、コストがかかってしまう。
【０００９】
子どもの成長に応じた構成に作りかえるなどデザインの自由度を高め、遊具内の子どもの動きを測定し、子どもの成長の目安となるデータを収集することが可能な遊具を提供することが求められてきた。
【００１０】
本発明は、上述した課題を解決するために、デザインの自由度を高め、データを収集することが可能な可動壁及び遊具を提供することを目的とする。
【課題を解決するための手段】
【００１１】
（１）  複合遊具に使用される高さが９０センチ以上、幅が９０センチ以上の可動壁であって、人の動きを検知する検知手段と、遊具を取り付け自在な取付手段と、複合遊具内で可動可能な可動手段とを備える可動壁。
【００１２】
（１）の可動壁では、検知手段（例えば、ビーコン）によって、子どもが遊具でどのように遊んでいるかを検知することができる。また、可動手段（例えば、ローラ）を用いて、可動壁の位置を変更することによって、例えば、検知した動きの分析結果に応じて、子どもの成長に合わせた幅に可動壁を設けることができる。また、取付手段によって遊具を取り付けることによって、例えば、分析した子どもの動きに応じて、人気のある遊具（例えば、平均台やバンク）取り付けることや、季節に合わせた遊具を取り付けることが可能になる。このように、デザインの自由度を高め、データを収集することが可能な可動壁を提供できる。
【００１３】
（２）  （１）に記載の可動壁であって、前記検知手段が複数設けられている可動壁。
【００１４】
（２）の可動壁では、検知手段が複数設けられることによって、子どもの運動傾向をより正確に評価するデータを得ることができる。このように、より正確な子どもの運動傾向データを収集することが可能な可動壁を提供できる。
【００１５】
（３）  （１）又は（２）に記載の可動壁を可動自在に設けている複合遊具で、各可動壁は、４０センチメートル以上の間隔で設けられている複合遊具。
【００１６】
（３）の複合遊具では、各可動壁は、４０センチメートル以上の間隔で設けられているため、幼児用の遊具などが設置しやすい間隔となっている。また、可動壁に検知手段があるため、子どもの動きを立体的に検知できる。また、遊具を取り外し、可動壁を動かし、収納することにより、床面だけの構成となり、設置スペースを多目的に使用することができる。このように、デザインの自由度を高め、データを収集することが可能な遊具を提供できる。
【発明の効果】
【００１７】
本発明によれば、デザインの自由度を高め、データを収集することが可能な可動壁及び遊具を提供できる。
【図面の簡単な説明】
【００１８】
【図１】複数種類の遊具を取り付け可能な可動壁の概念図である。
【図２】複数の可動壁が設置された遊具の斜視図である。
【図３】複数種類の遊具を取り付け可能な可動壁の詳細図である。
【図４】可動壁の移動を説明する説明図である。
【図５】可動壁に取り付け可能な遊具の一例を示す説明図である。
【図６】可動壁に取り付け可能な遊具の一例を示す説明図である。
【図７】可動壁に取り付け可能な遊具の一例を示す説明図である。
【図８】可動壁に取り付け可能な遊具の一例を示す説明図である。
【図９】可動壁に取り付け可能な遊具の一例を示す説明図である。
【発明を実施するための最良の形態】
【００１９】
図１、図２は、複数種類の遊具を取り付け可能な可動壁１０の正面図である。可動壁１０の厚みは、約９．６ｃｍから１０ｃｍであり、好ましくは、高さは９０センチメートル以上が望ましい。また、好ましくは、幅は９０センチメートル以上が望ましい。さらに、可動壁１０は、ジャングルジムや滑り台などの遊具を取り付け可能な取付部を有している。なお、本実施形態においては、取付部はネジ穴であるが、本発明はこれに限定されず、凹部など遊具を固定可能な機構であれば良い。
【００２０】
また、図１に示すように、可動壁１０には上方センサー２０と下方センサー３０の二つのセンサーが取り付けられている。なお、本実施形態ではＢｌｕｅｔｏｏｔｈ（登録商標）  Ｌｏｗ  Ｅｎｅｒｇｙを使用しているが、他のセンサーであっても良い。可動壁１０の上部には上方センサー２０や下方センサー３０によって取得したデータを外部に伝送するための伝送ユニットが設けられている。なお、本実施形態ではデータを有線によって伝送しているが、本発明はこれに限定されず、無線によって伝送しても良い。
【００２１】
図３は、複数の可動壁１０が設置された遊具の斜視図である。子どもたちが遊びやすいように、各可動壁１０同士の間隔は、好ましくは４０センチメートル以上あけ、設置されている。各可動壁１０に備えられたセンサーは、各可動壁の間で遊んでいる子ども達の動きを計測する。計測された子ども達のデータは、外部に送信される。子ども達の動きを複数の壁で測定することで子ども達の動きを立体的に計測することが可能になる。なお、可動壁１０は、下部のローラー及び、各可動壁１０の上部を梁状の部材で固定している。このように、複合遊技具の可動壁１０は、複合遊具に使用される高さが９０センチ以上、幅が９０センチ以上の可動壁の一例である。このように、上方センサー２０及び下方センサー３０は、人の動きを検知する検知手段の一例である。このように、可動壁１０は、検知手段が複数設けられている可動壁の一例である。また、各可動壁１０は、４０センチメートル以上の間隔で設けられている複合遊具の可動壁の一例である。
【００２２】
図４は、可動壁の移動を説明する説明図である。可動壁１０の下部にはローラーが設けられている（図２参照）。図４に示されるように遊具を外した可動壁を移動することで床面積を広げることができる。例えば、保育園や幼稚園において、普段遊具を設置しておき、運動会や遊戯会などのイベント時には床面積を広げるというような使い方が可能である。このように、ローラーは、複合遊具内で可動可能な可動手段の一例である。
【００２３】
図５から図９は、可動壁に取り付け可能な遊具の例である。図５は可動壁１０にジャングルジムを取り付けた例である。図６は、可動壁１０に平均台を取り付けた例である。図７は、可動壁１０にバンクを取り付けた例である。図８は、可動壁１０に棒わたりを取り付けた例である。図８は、可動壁１０に大型ローラーを取り付けた例である。上方センサー２０及び下方センサー３０によって子どもたちが可動壁１０に取り付けられたジャングルジムやバンクなどの遊具でどのように遊んでいるかデータを入手することができる。また、可動壁１０の間隔を変更したり、取り付ける遊具を変えることができるため、デザインの自由度が向上する。
【符号の説明】
【００２４】
１０  可動壁
２０  上方センサー
３０  下方センサー
【図１】
2017023566.tif 000003
【図２】
2017023566.tif 000004
【図３】
2017023566.tif 000005
【図４】
2017023566.tif 000006
【図５】
2017023566.tif 000007
【図６】
2017023566.tif 000008
【図７】
2017023566.tif 000009
【図８】
2017023566.tif 000010
【図９】
2017023566.tif 000011